(57)【特許請求の範囲】
【請求項１】
医療画像撮影装置により撮影された被検者の画像データを、前記被検者の個人情報とともにデータベース化して画像データ記憶手段に格納し、端末装置により一元管理する医療画像管理システムであって、前記医療画像撮影装置より送られてきた前記画像データ及び前記個人情報が前記画像データ記憶手段に格納される際に、前記被検者を診断する医師等のユーザが利用目的を任意に設定する利用目的設定手段と、前記利用目的設定手段により設定された利用目的に応じて前記画像データに付加された個人情報を隠蔽するか否かを判定する判定手段と、前記判定手段により個人情報を隠蔽すると判定された前記画像データを複製し、前記画像データ記憶手段に予め作成されたホルダに架空被検者として格納する手段とを具備する制御手段を前記端末装置に設けたことを特徴とする医療画像管理システム。
【請求項２】
前記端末装置に、前記制御手段に組み込まれた画像データ自動収集管理プログラムの画像データ管理画面を表示する主表示手段と、前記医療画像撮影装置より送られてきた前記画像データ及び前記個人情報を表示する副表示手段を設けてなる請求項１に記載の医療画像管理システム。
【請求項３】
異なる被検者を撮影することにより得られた画像データであっても、利用目的が同じ場合は、前記画像記憶手段の同じホルダに格納するようにしてなる請求項１または２に記載の医療画像管理システム。
【請求項４】
利用目的を設定する際に希望する利用目的がない場合は、前記端末装置により任意な利用目的を作成することにより、新たな架空被検者のホルダが前記画像データ記憶手段に作成され、任意に作成した利用目的で保存したい画像データは、新たに作成された架空被検者のホルダに格納されるようにしてなる請求項１乃至３の何れか一項に記載の医療画像管理システム。
【発明の詳細な説明】
【技術分野】
【０００１】
本発明は、医療画像撮影装置により撮影された医療画像を一元管理する医療画像管理システム及びシステムにより管理された医療画像の印刷方法に関する。
【背景技術】
【０００２】
近年医療技術の進歩に伴い、ＣＴやＭＲＩ、Ｘ線透視装置のような医療画像撮影装置により多くの医療画像が撮影され、得られた医療画像は画像データとしてデータベース化され、画像データ記憶手段等に蓄積されている。
これら画像データには、被検者の氏名や性別、生年月日、撮像日等の個人情報が同時に付加されているため、データベースとして蓄積された画像データを利用したり、フィルム等の媒体に出力（印刷）する際に、画像データに付加された個人情報が漏洩しないように管理することがきわめて重要となってる。
【０００３】
一方診療の際に撮影された医療画像をデータベース化して管理するシステムが例えば特許文献１等で提案されており、また画像データをフィルム等の媒体に印刷する際個人情報が漏洩するのを防止する方法が例えば引用文献２，３等で提案されている。
前記特許文献１に記載の医用画像処理システムは、医師による読影前に、追加撮影または追加検査が必要であるか否かを判断し、追加撮影または追加検査が必要であると判断されたときにその種類が何であるかの判断を、客観的かつ高速で行うことを可能にしたもので、読影、診断を効率よく行うことができる等の効果を有している。
【０００４】
また前記特許文献２に記載の医用画像診断システムは、医療画像をフィルムに印刷する際個人情報を指定識別情報として入力することにより、印刷された画像データに個人情報が印刷されるようになっており、特許文献３は、フィルムのフレーム部に画像識別情報がバーコードで記録されるようになっている。
【特許文献１】特開２００６−５１１９８号公報
【特許文献２】特開２００６−１９８０４３号公報
【特許文献３】特開平６−６８３１５公報
【発明の開示】
【発明が解決しようとする課題】
【０００５】
しかし前記特許文献１に記載の医用画像処理システムでは次のような問題がある。
診療の際に撮影された医療画像は、前述したように画像データに被検者の個人情報を付加した状態でデータベース化されている。
このためデータベース化された画像データを画像データ記憶手段より読み出して、読影用として表示手段に表示したり、フィルムの媒体に印刷する場合、前記特許文献１に記載の医用画像処理システムでは、医用画像とともに個人情報も表示手段に表示されたり、媒体に印刷されることになり、個人情報の漏洩に対する配慮がなされていなかった。
また医療画像は通常診断目的で撮影されるため、検査毎または被検者毎にデータベース化されて画像データ記憶手段に記録され、一元管理されていることが多い。
このため不特定多数の被検者の医療画像を診断目的以外でデータベースより収集し、これを利用することが困難なことから、多くの症例がデータベース化されていても、これらを有効利用することに対し、配慮がなされていなかった。
【０００６】
一方特許文献２に記載の医用画像診断システムでは、個人情報が付加された媒体と付加されない媒体が混在して保管されている場合、利用者が１枚ずつ媒体を目視して個人情報の有無を判別しなければならないため判別作業が煩雑な上、見落とし等の人為的なミスによる個人情報の漏洩に対する配慮がなされていなかった。
本発明はかかる問題を改善するためになされたもので、個人情報の漏洩を防止しつつ、データベース化された医療画像の有効利用が図れる医療画像管理システム及びシステムにより管理された医療画像の印刷方法を提供することを目的とするものである。
【課題を解決するための手段】
【０００７】
本発明の医療画像管理システムは、医療画像撮影装置により撮影された被検者の画像データを、被検者の個人情報とともにデータベース化して画像データ記憶手段に格納し、端末装置により一元管理する医療画像管理システムであって、医療画像撮影装置より送られてきた画像データ及び個人情報が画像データ記憶手段に格納される際に、被検者を診断する医師等のユーザが利用目的を任意に設定する利用目的設定手段と、利用目的設定手段により設定された利用目的に応じて画像データに付加された個人情報を隠蔽するか否かを判定する判定手段と、判定手段により個人情報を隠蔽すると判定された画像データを複製し、画像データ記憶手段に予め作成されたホルダに架空被検者として格納する手段とを具備する制御手段を端末装置に設けたものである。
【０００８】
前記構成により、被検者を撮影することにより得られた画像データを他の目的で後日利用したい場合、ユーザが利用目的を設定することにより利用目的に応じて個人情報を自動的に隠蔽し、データベースとして画像データ記憶手段へ自動的に格納されるため、症例集として利用したい画像データを容易かつ広範囲に収集することが可能になる。
また被検者を診断する際、画像データ記憶手段の架空被検者ホルダに格納されている画像データを症例として利用する場合、画像データは予め個人情報隠蔽されているため、個人情報が表示されることはない上、画像データをフィルム等の媒体に出力（印刷）しても個人情報が画像データに付加されることもないため、個人情報の漏洩を確実に防止することができる。
【０００９】
本発明の医療画像管理システムは、端末装置に、制御手段に組み込まれた画像データ自動収集管理プログラムの画像データ管理画面を表示する主表示手段と、医療画像撮影装置より送られてきた画像データ及び個人情報を表示する副表示手段を設けたものである。
【００１０】
前記構成により、医療画像撮影装置より送られてきた画像データ及び個人情報を副表示手段によりリアルタイムで確認することができるため、被検者の診断が短時間で行えると共に、被検者の画像データと比較したい場合は、被検者と架空被検者の画像データを主表示手段に交互に表示させたり、並べて表示させることにより、症例の画像データから被検者の症状を的確に判断することができる。
【００１１】
本発明の医療画像管理システムは、異なる被検者を撮影することにより得られた画像データであっても、利用目的が同じ場合は、画像記憶手段の同じホルダに格納するようにしたものである。
【００１２】
前記構成により、利用目的が同じ画像データを効率よく収集することができる。
【００１３】
本発明の医療画像管理システムは、利用目的を設定する際に希望する利用目的がない場合は、端末手段により任意な利用目的を作成することにより、新たな架空被検者のホルダが画像データ記憶手段に作成され、任意に作成した利用目的で保存したい画像データは、新たに作成された架空被検者のホルダに格納されるようにしたものである。
【００１４】
前記構成により、任意に作成した利用目的で保存したい画像データは、新たに作成された架空被検者ホルダに格納されるため、利用目的設定画面に表示された利用目的設定メニューのみに利用目的が制限されることがない上、症例毎に分割して管理が行えるようになる。
【００１５】
本発明の医療画像の印刷方法は、医療画像撮影装置により撮影され、かつ被検体の個人情報とともにデータベース化されて画像データ記憶手段に格納された画像データを、画像データ記憶手段から読み込んでフィルム等の媒体へ印刷するための医療画像印刷方法であって、画像データ記憶手段より読み込んだ画像データに個人情報を付加して印刷するか否かを選択するステップと、個人情報を付加しない場合は、個人情報がないことを表すマークをマーク発生手段より発生させて、画像データ合成手段により画像データと合成するステップと、画像データ合成手段により合成された画像データを印刷手段により媒体に印刷する際、媒体の一部にマークを同時に印刷するステップとを有する。
【００１６】
前記方法により、被検者を診断するユーザの判断により個人情報を印刷するか否が選択でき、予めデータベース化された症例集から症例として画像データを取得する場合は、個人情報を印刷しないを選択することにより、多くの症例を参照することができると同時に、症例として利用した画像データを媒体に印刷して保管する場合に、個人情報が漏洩するのを未然に防止することができるようになる。
【００１７】
本発明の医療画像の印刷方法は、マークを媒体の縁部に透明表示するステップを有する。
【００１８】
前記方法により、画像データが印刷された媒体を複数枚重ねた状態で保管している場合、個人情報が印刷された媒体と印刷されていない媒体が混在していても、マークが印刷された部分は透明となっているため、個人情報が印刷されていない媒体の中から個人情報が印刷されている媒体を選別したり、個人情報が印刷されていない媒体のみを選別する等の作業が容易に行える。
【００１９】
本発明の医療画像の印刷方法は、媒体の縁部に透明表示されたマーク上に、個人情報の種類を示す文字列を画像で表示するステップを有する。
【００２０】
前記方法により、媒体に印刷されたマークから個人情報の有無が容易に判別できることは勿論、個人情報が印刷されている媒体には、個人情報の種類がマーク上に付加されているため、媒体にどんな種類の個人情報が印刷されているかが容易に判別できる。
また個人情報が印刷されていない媒体を外部に持ち出す際に、誤って個人情報が印刷された媒体を持ち出してしまっても、媒体に付加されたマーク上の文字列を見ることにより、個人情報の種類が瞬時に判別できるため、個人情報の漏洩を未然に防止できる。
【発明の効果】
【００２１】
本発明の医療画像管理システムによれば、被検者を診断する際、画像データ記憶手段の架空被検者ホルダに格納されている画像データを症例として利用する場合、画像データは予め個人情報隠蔽されているため、個人情報が表示されることはない上、画像データをフィルム等の媒体に印刷しても個人情報が画像データに付加されることもないため、個人情報の漏洩を確実に防止することができる。
【００２２】
また本発明の医療画像印刷方法によれば、予めデータベース化された症例集から症例として取得した画像データを媒体に印刷する場合、媒体に個人情報がないことを示すマークが印刷され、個人情報が印刷されることがないので、個人情報が漏洩することを未然に防止することができるようになる。
【発明を実施するための最良の形態】
【００２３】
本発明の医療画像管理システムの実施の形態を、図１ないし図５に示す図面を参照して、また該システムにより管理された医療画像の印刷方法の実施の形態を、図６ないし図１２に示す図面を参照して詳述する。
図１は医療画像管理システムのブロック図、図２は画像データ自動収集時の作用を示すフローチャート、図３は端末装置の副表示手段に表示された撮影画面を示す説明図、図４は利用目的設定メニューに希望する利用目的がない場合の作用を示すフローチャート、図５は端末装置の主表示手段に表示された画像データ管理画面を示す説明図である。
【００２４】
図１に示す医療画像管理システムは、ＣＴやＭＲＩ、Ｘ線透視装置のような医療画像撮影装置１に通信回線２を介して接続された１基または複数基の端末装置３を有している。
医療画像撮影装置１は診断すべき被検者を撮影し、被検者より医療画像を取得するもので、医療画像撮影装置１により撮影された被検者の医療画像は、画像データとして通信回線２を介して端末装置３へ送られる。
端末装置３は、予め組み込まれた画像データ自動収集管理プログラムを実行する制御手段４と、制御手段４に処理された画像データを被検者の個人情報とともに記憶するハードディスク等の画像データ記憶手段５と、制御手段４がプログラムを実行する際に出力される画像データ管理画面を表示する主表示手段６と、医療画像撮影装置１から送られてきた撮影画像を表示する副表示手段７等からなる。
【００２５】
次に図２及び図４に示すフローチャートを参照して医療画像管理システムによる画像データ自動収集方法を説明する。
端末装置３を操作する医師や技術者等のユーザは、画像データを収集する被検者を医療画像撮影装置１の所定位置に待機させ、この状態で端末装置３の制御手段４により画像データ自動収集プログラムを実行し、図２に示すフローチャートのステップＳ１で撮影開始を指示すると、医療画像撮影装置１の所定位置に待機させた被検者の撮影部位、例えば頭部を医療画像撮影装置１が撮影し、ステップＳ２で被検者の画像データを生成する。
医療画像撮影装置１により生成された画像データは、通信回線２を介して端末装置３へ送られ、端末装置３の副表示手段７に撮影画面として図３に示すように表示されるので、ユーザは、副表示手段７に表示された例えば頭部の撮影画面を見ながらステップＳ３で被検者の診断を行うが、その際に画像データを後日他の目的で利用したい場合が生じることがよくある。
【００２６】
しかし医療画像撮影装置１より送られてきた画像データには、撮影日時や撮影番号の他に、被検者の氏名や年令、性別、病名等の個人情報が記録されているので、画像データを他の目的、例えば症例集として後日使用したい場合、画像データに記録された個人情報が漏洩しないようにする必要がある。
そこで他目的で画像データを後日使用したい場合は、診断の際に端末装置３を操作して他目的利用を選択すると、図２に示すフローチャートのステップＳ４で他目的利用と判定されてステップＳ５へ進み、ステップＳ５で副表示手段に、子画面として図３に示す利用目的設定画面７ａが表示されるので、利用目的設定画面に表示された利用目的設定メニューから例えば「症例利用」を選択する。
【００２７】
画像データ自動収集プログラムには、予め利用目的に応じて個人情報を隠蔽するか否かの判定基準が設定されていて、利用目的設定メニューで「症例利用」が選択された場合、ステップＳ６で個人情報隠蔽と判定され、ステップＳ７へ進んで画像データが複製される。
その後ステップＳ８へ進んで、ステップＳ７で複製された画像データから個人情報が隠蔽され、架空の被検者の画像データとして、利用目的別に作成されたホルダ内にステップＳ９で格納される。
すなわち利用目的設定メニューで例えば「症例利用」を選択するとシステムが自動的に個人情報隠蔽を判断し、個人情報が隠蔽された画像データが架空被検者の画像データとして利用目的別に作成されたホルダ内へ格納されて、管理プログラムにより一元管理されるようになる。
また異なる被検者を撮影することにより得られた画像データであっても、利用目的が同じ場合は、同じホルダに格納されて一元管理される。
【００２８】
図５は主表示手段６に表示された画像データ管理画面の１例を示すもので、左側にホルダの表示欄が、そして右側に選択されたホルダに格納された画像データの表示画面が表示される。
左側に表示されたホルダには、例えば被検者Ａ、被検者Ｂのホルダと、ホルダに格納された画像データファイルＡ−１、Ａ−２、Ｂ−１、Ｂ−２等がツリー形式で表示されている他に、架空被検者Ｘのホルダ及び画像データファイルＡ−１（複製）、Ｂ−１（複製）があり、例えば架空被検者Ｘのホルダをクリックすると、右側の表示画面に、ファイルＡ−１及びＢ−１に格納されている複製の画像データＡ−１、Ｂ−１が図５に示すように表示されるが、架空被検者Ｘのホルダに格納されている画像データは、予め個人情報隠蔽処理が施されているため、この表示画面には個人情報が表示されることはなく、またこの画面をフィルム等の媒体に出力（印刷）しても個人情報が画像データに付加されることもない。
【００２９】
以上は被検者を撮影することにより得られた画像データを後日他の目的で利用したい場合に、利用目的に応じて個人情報を自動的に隠蔽し、これをデータベースとして図１に示す画像データ記憶手段５へ格納するまでの処理を説明したが、次に画像データ記憶手段５にデータベースとして格納された画像データを利用する場合の作用を説明する。
例えば被検者Ａを診断するに当って、医療画像撮影装置１により被検者Ａの患部を図２に示すフローチャートのステップＳ１で撮影すると、ステップＳ２で被検者Ａの画像データが生成されて、ユーザが操作する端末手段３へと画像データが送られてくるので、端末手段３を操作する例えば医師は、副表示手段７に表示された図３に示す撮影画面を読影して被検者Ａの診断を行うが、診断に当って予め画像データ記憶手段５に蓄積された症例等の画像データを参考にしたい場合は、端末手段３の入力手段を操作して利用目的を入力し、主表示手段６に図５に示す画像データ管理画面を表示させる。
【００３０】
そして管理画面に表示された左側のホルダ表示欄から架空被検者Ｘのホルダを選択する。
ホルダ表示欄には、利用目的、例えば症例を入力した段階で利用目的、例えば症例のホルダに格納されている架空被検者Ｘの画像データを格納した画像データファイルＡ−１（複製）、Ｂ−１（複製）が表示されているので、必要なファイルをクリックしてファイルに格納された画像データを右側の表示画面に表示させ、被検者Ａを診断する際の判断材料として利用するもので、被検者Ａの画像データと比較したい場合は、被検者Ａのホルダをクリックして、被検者Ａと架空被検者Ｘの画像データを交互に表示させたり、並べて表示させる。
これによって症例の画像データから被検者Ａの症状を確に判断することができ、また架空被検者Ｘの画像データを表示させたり、画像データを媒体に印刷した場合は、個人情報が主表示手段６に表示されたり、媒体に印刷されることがないので、個人情報が漏洩するのを確実に防止することができる。
【００３１】
なお前記実施の形態では、利用目的設定画面の利用目的設定メニューで選択した利用目的に応じて予め作成されたホルダに複製された画像情報が格納されるようにしたが、利用目的設定メニューに希望する利用目的がない場合は、端末手段３により任意な利用目的を作成することができる。
すなわち端末手段３により任意な利用目的を作成した場合、図４に示すフローチャートのステップＳ２１で同一利用目的の利用目的設定メニューが存在しないと判定され、ステップＳ２２で新たな架空被検者のホルダが作成される。
そして任意に作成した利用目的で保存したい画像データは、ステップＳ２３で新たに作成された架空被検者ホルダに格納されるため、利用目的設定画面に表示された利用目的設定メニューのみに利用目的が制限されることはない。
【００３２】
一方図６ないし図９は、前記画像データ自動収集管理プログラムにより自動収集されて、画像データ記憶手段１４に格納されたデータベースから画像データを読み出してフィルムや紙等の媒体２３に出力（印刷）する際に、個人情報が漏洩するのを防止した医療画像印刷方法の実施の形態を示すもので、次にこれを説明する。
画像データ記憶手段１４に格納されたデータベースから所望の画像データを読み出して診断等に利用する場合、診断される被検者本人の画像データを使用する場合は、画像データに個人情報が付加されていても特に問題はない上、他の被検者の画像データと取り違える等の人為的ミスを防止することができる。しかし画像データを例えばフィルム等の媒体２３に印刷して保存するような場合、個人情報が画像データとともに媒体２３に印刷されると、利用目的によっては個人情報が漏洩する虞れがある。
【００３３】
また被検者を診断する際に症例としてデータベースから他人の画像データを利用する場合、画像データから個人情報が漏洩する危険がある。
そこで医療画像印刷方法の実施の形態では、画像データ記憶手段１４にデータベースとして格納されている画像データを読み出して媒体２３に印刷する場合、個人情報を消去して印刷すると同時に、画像データが印刷された媒体２３から個人情報の有無がマーク２４により容易に判別できるようにしている。
図６は画像データ記憶手段１４に被検者の撮影画像を画像データとして格納し、また格納された画像データをフィルム等の媒体２３へ印刷するためのシステムを示すもので、医療画像撮影装置１０により撮影された被検者の医療画像は、入力手段１１により入力された個人情報とともに画像処理手段１２へと送られる。画像データは画像処理手段１２に設けられた制御手段１３により制御される画像データ記憶手段１４に格納され、全ての個人情報は、被検者情報記憶手段１５に格納される。
画像処理手段１２には、制御手段１３により制御される画像データ合成手段１６と、マーク発生手段１７、文字列発生手段１８の他に、画像データ合成手段１６により合成された画像データを画像信号として、画像処理手段１２に接続された表示手段２０へ出力する画像データ表示手段１９とが設けられている。また画像データ合成手段１６により合成された画像データは、画像処理手段１２に接続された印刷手段２１へ出力される。
【００３４】
次に前記印刷システムを使用して、フィルム等の媒体２３に画像データを印刷する方法を、図７に示すフローチャートを参照して説明する。
画像データ記憶手段１４には、前記医療画像管理システムの実施の形態で説明した方法と同様な方法で画像データが個人情報とともにデータベースとして画像データ記憶手段１４に格納されている。被検者を診断する際、被検者の画像データを画像データ記憶手段１４から読み出して利用する。画像データを媒体２３に印刷する場合は、図７に示すフローチャートのステップＳ２１で読み出す画像データの個人情報と、被検者の個人情報を消去して印刷するか否かを入力手段１１から入力する。個人情報を消去する場合は、個人情報がないことを示すマーク２４及びマーク２４に入れる文字列及び印刷モード等を入力手段１１から入力する。
【００３５】
画像処理手段１２の制御手段１３は、入力手段１１より入力された情報を基にステップＳ２２で画像データ記憶手段１４より被検者の画像データを読み出す。
画像データ記憶手段１４より読み出された画像データは、個人情報とともに画像処理手段１２に接続された表示手段２０に表示される。被検者を診断する医師等のユーザは、表示手段２０に表示された画像データと個人情報から診断に必要な画像データかを判断する。ユーザは必要とする画像データであることと、個人情報の印刷の有無及び個人情報を印刷しないと入力した場合は、個人情報がないことを示すマーク２４が表示されていることを確認する。
画像処理手段１２の制御手段１３は、入力手段１１から入力された情報を基に、ステップＳ２３で個人情報を消去（隠蔽）して印刷するか否かを判定する。消去する場合はステップＳ２４へ進み、個人情報を画像データに印刷する（埋め込む）場合はステップＳ３０へ進んで、画像データに個人情報を付加した後ステップＳ３１へ進んで、印刷手段２１により画像データと個人情報を媒体２３に印刷する。
【００３６】
図８の（ａ）ないし（ｅ）及び図９の（ａ）ないし（ｅ）は媒体２３に個人情報が印刷されていないことをマーク２４で表示した表示例（パターン）を示すものである。本表示例では複数、例えば１６枚の画像データ２５が印刷された媒体２３の一部に個人情報の有無を示すマーク２４が印刷されている。
図８の（ａ）に示すパターンは、媒体２３の右下に「持出可」の文字がマーク２４ａとして印刷された例、（ｂ）は右下に例えば角形のマーク２４ｂが印刷された例、（ｃ）は媒体２３の右側縁に複数のインデックス状マーク２４ｃが縦方向に等間隔で印刷された例、（ｄ）は媒体２３の右側縁に、側縁に沿って罫線よりなるマーク２４ｄが印刷された例、（ｅ）は媒体２３の右下に、マーク２４とともに個人情報の一部、例えば名前と年令を文字２４ｅで表示した例をそれぞれ示す。
【００３７】
図９の（ａ）に示すパターンは、媒体２３の下部に下縁に沿って帯状のマーク２４ｆが印刷された例、（ｂ）は右下に形成されたマーク２４の上に例えば「公開可」の文字２４ｇが印刷された例、（ｃ）は媒体２３の下部に下縁に沿って帯状のマーク２４に三角形のマーク２４ｈが印刷された例、（ｄ）は媒体２３の周囲に額縁状にマーク２４ｉが印刷された例、（ｅ）は媒体２３の下部に、下縁に沿って帯び状のマーク２４と個人情報の一部、例えば名前と年令を文字２４ｊで表示した例をそれぞれ示す。
これらマーク２４は予めマーク発生手段１７に設定されており、文字列は被検者情報記憶手段１５より送られる個人情報や、入力手段１１により入力された文字情報に応じて文字列発生手段１８が発生するようになっている。
【００３８】
なお、マーク発生手段１７により発生されたマーク２４は、画像データ合成手段１６により画像データと合成され、印刷手段２１によりフィルム等の媒体２３に印刷されるが、媒体２３に印刷された際に透明となるよう最も輝度が高い白色によりマーク２４が表示される。
また文字列発生手段１８により発生される文字列は、媒体２３に印刷された際光が透過しないように最も輝度の低い黒色で表示される。
【００３９】
一方図７に示すフローチャートのステップＳ２３で個人情報消去と判定されステップＳ２４へ進むと、入力手段１１により入力情報を基にマーク２４がマーク発生手段１７で発生され、画像データ合成手段１６へ出力されると共に、ステップＳ２５へ進んで、入力手段１１より入力された情報を基にマーク２４上に文字を挿入するかが判定され、挿入する場合はステップＳ２７に、挿入しない場合はステップＳ２９へ進む。
ステップＳ２７では、被検者情報記憶手段１５から送られてきた個人情報や入力手段１１で入力された文字情報を基に文字列を作成し、ステップＳ２８でマーク２４と文字列を合成した後ステップＳ２９へ進む。
ステップＳ２９では、画像データ合成手段１６がマーク発生手段１７で発生されたマーク２４と、文字列発生手段１８で発生された文字列を画像データに合成した後、印刷手段２１へ出力する。
そしてステップＳ３１でフィルム等の媒体２３に画像データ２５とマーク２４が予め選択されたパターンに応じて印刷手段２１により印刷される。
【００４０】
以上のように媒体２３に印刷された画像データ２５には、被検者を診断するユーザの判断により個人情報を印刷するか否が選択でき、予めデータベース化された症例集から症例として画像データを取得する場合は、個人情報を印刷しないを選択することにより、多くの症例を参照することができると同時に、症例として利用した画像データを媒体２３に印刷して保管するような場合に、個人情報が漏洩することを未然に防止することができるようになる。
また通常画像データ２５が印刷された媒体２３は、複数枚重ねた状態で保管することが多いが、個人情報が印刷された媒体２３と印刷されていない媒体２３が混在していても、マーク２４が印刷された部分は透明となっているため、個人情報が印刷されていない媒体２３の中から個人情報が印刷されている媒体２３を選別したり、個人情報が印刷されていない媒体２３のみを選別する等の作業が容易に行える。
さらにマーク２４に文字列が印刷されている場合は、文字列が重ねられた媒体の上から読み取ることができるため、ユーザの判断で「持ち出し可」や「公開可能」等の文字列を予めマーク２４上に挿入することにより、文字列を挿入したユーザ以外のユーザが媒体２３を利用する場合でも、個人情報がない、もしくは個人情報の一部例えば氏名や年令のみが記載された媒体２３が容易に選別できるようになる。
【００４１】
一方図１０ないし図１２は、個人情報が漏洩するのを防止した医療画像印刷方法の変形例を示すもので、次にこれを図１０に示すフローチャートを参照して説明する。
なお前記実施の形態と異なる点はステップＳ４５とステップＳ４６であるため、異なる点のみ説明し、同一の個所は説明を省略する。
この変形例では、個人情報を印刷しない場合は媒体２３に透明なマーク２４を付加し、個人情報を印刷する場合は、透明なマークの上に個人情報の種類を示す文字を画像（イメージ）にして付加するようにしたもので、図１０に示すフローチャートのステップＳ４４で個人情報を消去すると判定された場合は、ステップＳ４８へ進んでマーク２４と画像データを合成する際、マーク２４上に個人情報有りを示す文字は付加されないが、ステップＳ４４で個人情報を印刷すると判定された場合は、ステップＳ４５へ進んで、画像データ記憶手段１４より画像データ合成手段１６へ送られてきた画像データに、被検者情報記憶手段１５より送られてきた被検者の個人情報を合成し、ステップＳ４７へ進む。
【００４２】
ステップＳ４７では、個人情報記憶手段１５より送られてきた被検者の個人情報の種類を表す文字列を文字列発生手段１８が画像として発生し、マーク発生手段１７へ供給する。
これによってステップＳ４７でマーク２４と画像にした文字列とが合成された後、ステップＳ４８で画像データにマーク２４が合成され、ステップＳ４９で媒体２４に画像データとマーク２４が印刷手段２１により印刷される。
図１１は媒体２４に印刷された画像データ２５とマーク２４の印刷例を示すもので、媒体２４の右下に帯状のマーク２４が透明に印刷され、マーク２４上に例えば氏名や年齢、性別等の個人情報が画像２４ｋとして印刷されている。
また図１２は、印刷手段２１により媒体２４に画像データを印刷する際、印刷システムの表示手段２０に表示される出力画像の例を示すもので、媒体２３に表示されるマーク２４の位置と、マーク２４上に印刷される文字列等が表示されており、個人情報保護を表示したチェックボックス２７にチェックを入れることにより、個人情報を消去して印刷する等の操作が画面上から簡単行えるようになっている。
【００４３】
以上説明した変形例では、前記実施の形態と同様に媒体２３に印刷されたマーク２４から個人情報の有無が容易に判別できることは勿論、個人情報が印刷されている媒体２４には、個人情報の種類がマーク２４上に付加されているため、媒体２４にどんな種類の個人情報が印刷されているかが容易に判別できる。
また個人情報が印刷されていない媒体２３を外部に持ち出す際に、誤って個人情報が印刷された媒体２３を持ち出してしまっても、媒体２３に付加されたマーク２４上の文字列を見ることにより、個人情報の種類が瞬時に判別できるため、個人情報の漏洩を未然に防止できる上、後から個人情報の部分を修正する等の対処が容易に行える。
【図面の簡単な説明】
【００４４】
【図１】本発明の実施の形態に医療画像管理システムの概略構成図である。
【図２】本発明の実施の形態になる医療画像管理システムの作用を示すフローチャートである。
【図３】本発明の実施の形態になる医療画像管理システムの動作時の表示画面を示す説明図である。
【図４】本発明の実施の形態になる医療画像管理システムの作用を示すフローチャートである。
【図５】本発明の実施の形態になる医療画像管理システムの動作時の管理画面を示す説明図である。
【図６】本発明の実施の形態になる医療画像印刷方法を実施するための印刷システムを示す概略構成図である。
【図７】本発明の実施の形態になる医療画像印刷方法を示すフローチャートである。
【図８】本発明の実施の形態になる医療画像印刷方法により媒体に印刷されたマーク表示例を示す説明図である。
【図９】本発明の実施の形態になる医療画像印刷方法により媒体に印刷されたマーク表示例を示す説明図である。
【図１０】本発明の実施の形態になる医療画像印刷方法の変形例を示すフローチャートである。
【図１１】本発明の実施の形態になる医療画像印刷方法の変形例により媒体に印刷されたマーク表示例を示す説明図である。
【図１２】本発明の実施の形態になる医療画像印刷方法の印刷出力画面を示す説明図である。
【符号の説明】
【００４５】
１    医療画像撮影装置
３    端末装置
４    制御手段
５    画像データ記憶手段
６    主表示手段
７    副表示手段
１０    医療画像撮影装置
１２    画像処理手段
１３    制御手段
１４    画像データ記憶手段
１６    画像データ合成手段
１７    マーク発生手段
１８    文字列発生手段
２０    表示手段
２１    印刷手段
【図１】
0005214953.tif 000002
【図２】
0005214953.tif 000003
【図３】
0005214953.tif 000004
【図４】
0005214953.tif 000005
【図５】
0005214953.tif 000006
【図６】
0005214953.tif 000007
【図７】
0005214953.tif 000008
【図８】
0005214953.tif 000009
【図９】
0005214953.tif 000010
【図１０】
0005214953.tif 000011
【図１１】
0005214953.tif 000012
【図１２】
0005214953.tif 000013